(57)【要約】【課題】  リモコン装置を用いてカメラを遠隔操作する撮影者にカメラがレリーズされたことを早期に確認させる。【解決手段】  第１の信号を受信し、該第１の信号に応じて第１の動作を実行する電子機器と、前記電子機器に対して前記第１の信号を送信するリモートコントロール装置とを有する遠隔操作可能な電子機器システムであって、前記電子機器は、前記第１の信号の受信後、前記第１の動作の終了前に第２の信号を前記リモートコントロール装置に対して送信する送信手段を有し、前記リモートコントロール装置は、前記第２の信号を受信する受信手段と、該第２の信号の受信に応じて第２の動作を行う動作手段とを有することを特徴とする電子機器システム。【選択図】  図３
2005173328.tif 000002
【特許請求の範囲】
【請求項１】
第１の信号を受信し、該第１の信号に応じて第１の動作を実行する電子機器と、
前記電子機器に対して前記第１の信号を送信するリモートコントロール装置とを有する遠隔操作可能な電子機器システムであって、
前記電子機器は、前記第１の信号の受信後、前記第１の動作の終了前に第２の信号を前記リモートコントロール装置に対して送信する送信手段を有し、
前記リモートコントロール装置は、前記第２の信号を受信する受信手段と、該第２の信号の受信に応じて第２の動作を行う動作手段とを有することを特徴とする電子機器システム。
【請求項２】
前記第１および第２の信号を、無線通信することを特徴とする請求項１に記載の電子機器システム。
【請求項３】
前記第２の動作は、前記電子機器における前記第１の動作の実行を前記リモートコントロール装置の操作者に確認させるための動作であることを特徴とする請求項１又は２に記載の電子機器システム。
【請求項４】
前記第２の動作は、前記第１の動作の疑似動作音を発生する動作であることを特徴とする請求項３に記載の電子機器システム。
【請求項５】
前記電子機器は、
前記第１の動作の実行に伴って音声を発生する発音手段と、
前記第１の信号に応じて前記第１の動作を実行するときは該発音手段からの音声の発生を禁止する制御手段とを有することを特徴とする請求項４に記載の電子機器システム。
【請求項６】
請求項１から５のいずれか１つに記載の電子機器システムであって、
前記電子機器はカメラであることを特徴とするカメラシステム。
【請求項７】
前記第１の信号は前記カメラに撮影動作を行わせる撮影開始信号であり、
前記第１の動作は前記撮影動作であり、
前記第２の動作は前記撮影動作の疑似動作音を発生する動作であることを特徴とする請求項６に記載のカメラシステム。
【請求項８】
前記リモートコントロール装置は、前記カメラの状態に関する情報の送信要求信号を送信するために操作される第１のスイッチと、
前記カメラに撮影動作を行わせる撮影開始信号を送信するために操作される第２のスイッチとを有することを特徴とする請求項６又は７に記載のカメラシステム。
【請求項９】
前記カメラは、前記送信要求信号に応じて前記情報を前記リモートコントロール装置に対して送信し、
前記リモートコントロール装置は、受信した前記情報を表示する表示手段を有することを特徴とする請求項８に記載のカメラシステム。
【請求項１０】
前記カメラの状態は、撮影可能回数、撮影可能時間、照明ユニットの充電状態および電源状態の少なくとも１つを含むことを特徴とする請求項８又は９に記載のカメラシステム。
【請求項１１】
電子機器に対して第１の信号を送信するリモートコントロール装置であって、
前記第１の信号に応じて第１の動作を実行する前記電子機器から、前記第１の信号の受信後、前記第１の動作の終了前に送信された第２の信号を受信する受信手段と、
該第２の信号の受信に応じて第２の動作を行う動作手段とを有することを特徴とするリモートコントロール装置。
【請求項１２】
前記第１および第２の信号を、無線通信することを特徴とする請求項１１に記載のリモートコントロール装置。
【請求項１３】
前記第２の動作は、前記電子機器における前記第１の動作の実行を前記リモートコントロール装置の操作者に確認させるための動作であることを特徴とする請求項１１又は１２に記載のリモートコントロール装置。
【請求項１４】
前記第２の動作は、前記第１の動作の疑似動作音を発生する動作であることを特徴とする請求項１３に記載のリモートコントロール装置。
【請求項１５】
請求項１１から１４のいずれか１つに記載のリモートコントロール装置あって、
前記電子機器はカメラであることを特徴とするリモートコントロール装置。
【請求項１６】
前記第１の信号は前記カメラに撮影動作を行わせる撮影開始信号であり、
前記第１の動作は前記撮影動作であり、
前記第２の動作は前記撮影動作の疑似動作音を発生する動作であることを特徴とする請求項１５に記載のリモートコントロール装置。
【請求項１７】
前記リモートコントロール装置は、前記カメラの状態に関する情報の送信要求信号を送信するために操作される第１のスイッチと、
前記カメラに撮影動作を行わせる撮影開始信号を送信するために操作される第２のスイッチとを有することを特徴とする請求項１５又は１６に記載のリモートコントロール装置。
【請求項１８】
前記カメラから送信された前記情報を受信し、該情報を表示する表示手段を有することを特徴とする請求項１７に記載のリモートコントロール装置。
【請求項１９】
前記カメラの状態は、撮影可能回数、撮影可能時間、照明ユニットの充電状態および電源状態の少なくとも１つを含むことを特徴とする請求項１７又は１８に記載のリモートコントロール装置。
【請求項２０】
リモートコントロール装置からの第１の信号を受信し、該第１の信号に応じて第１の動作を実行する電子機器であって、
前記第１の信号の受信後、前記第１の動作の終了前に、前記リモートコントロール装置に第２の動作を行わせるための第２の信号を該リモートコントロール装置に対して送信する送信手段を有することを特徴とする電子機器。
【請求項２１】
前記第１および第２の信号を、無線通信することを特徴とする請求項２０に記載の電子機器。
【請求項２２】
前記第２の動作は、前記電子機器における前記第１の動作の実行を前記リモートコントロール装置の操作者に確認させるための動作であることを特徴とする請求項２０又は２１に記載の電子機器。
【請求項２３】
前記第２の動作は、前記第１の動作の疑似動作音を発生する動作であることを特徴とする請求項２２に記載の電子機器。
【請求項２４】
前記第１の動作の実行に伴って音声を発生する発音手段を有し、
前記第１の信号に応じて前記第１の動作を実行するときは該発音手段からの音声の発生を禁止する制御手段を有することを特徴とする請求項２３に記載の電子機器。
【請求項２５】
請求項２０から２４のいずれか１つに記載の電子機器であって、
被写体像を記録する記録手段を有することを特徴とするカメラ。
【請求項２６】
前記第１の信号は前記カメラに撮影動作を行わせる撮影開始信号であり、
前記第１の動作は前記撮影動作であり、
前記第２の動作は前記撮影動作の疑似動作音を発生する動作であることを特徴とする請求項２５に記載のカメラ。
【請求項２７】
前記リモートコントロール装置から送信された、該カメラの状態に関する情報の前記送信要求信号に応じて前記情報を前記リモートコントロール装置に対して送信することを特徴とする請求項２５又は２６に記載のカメラ。
【請求項２８】
前記カメラの状態は、撮影可能回数、撮影可能時間、照明ユニットの充電状態および電源状態の少なくとも１つを含むことを特徴とする請求項２７に記載のカメラ。
【発明の詳細な説明】
【技術分野】
【０００１】
本発明はリモートコントロール（以下リモコンと記す。）機能を有する電子機器システム、カメラシステム、リモートコントロール装置、電子機器及びカメラに関する。
【背景技術】
【０００２】
リモコン装置側に音声発生手段を有しているリモコン機能を有するカメラシステムが知られている。これは、カメラから数メートル離れた位置に配置されたリモコン装置を操作してカメラをレリーズした場合に、カメラのレリーズ時の音声をリモコン装置の操作者に伝えるためである。
【０００３】
この種のカメラシステムが例えば特許文献１に開示されている。具体的には、送信機（本発明のリモコン装置に相当）側に音声の記録・再生機能を設け、送信機の再生スイッチ（本発明のレリーズスイッチに相当）の押し動作に基づき音声が発せられた後、カメラ本体に所定の信号（本発明のレリーズ信号に相当）を送りカメラ本体の動作制御を開始させるように構成したものである。
【０００４】
また、前記従来例には下記の技術も開示されている。再生スイッチをオンすることにより、再生信号と音声再生時間の時間情報を持った時間信号を送信機（カメラに設けられた信号発信装置）より発信されたこの信号をカメラの受光回路で受信して、所定時間待機した後、撮影シーケンスに入る様に構成され待機時間の間、送信機のスピーカより音声を発する技術である。
【０００５】
また更に、前記従来例には下記の技術も開示されている。すなわち、撮影終了後カメラの発信回路を通じて送信機側に出力し、送信機において撮影終了を音声により被撮影者に報知する技術である。
【特許文献１】特開平１０−２７４８０２号公報(図１)
【発明の開示】
【発明が解決しようとする課題】
【０００６】
しかしながら、特許文献１に開示された技術ではカメラのレリーズ信号をリモコン装置側からカメラ側に一方的に送信し、カメラがレリーズされたか否かに関わらずリモコン装置側で音声を発するものである。
【０００７】
また、カメラの撮影動作が終了してからでないとレリーズされたどうかは分からない。このため、レリーズ信号が送信機から出力されカメラがレリーズされていないにもかかわらずリモコン装置側で音声により報知しまうという欠点がある。
【０００８】
すなわち、撮影を指示してから撮影が終了するまでの間、撮影されたかどうかを撮影者が確認することができなかった。
本発明に目的は、上記の欠点を取り除くことを目的とする。
【課題を解決するための手段】
【０００９】
本願発明の電子機器システムの第１の構成は、第１の信号を受信し、該第１の信号に応じて第１の動作を実行する電子機器と、電子機器に対して第１の信号を送信するリモートコントロール装置とを有する遠隔操作可能な電子機器システムであって、電子機器は、第１の信号の受信後、第１の動作の終了前に第２の信号をリモートコントロール装置に対して送信する送信手段を有し、リモートコントロール装置は、第２の信号を受信する受信手段と、該第２の信号の受信に応じて第２の動作を行う動作手段とを有することを特徴とする。
【００１０】
第１および第２の信号を、無線通信としてもよい。第２の動作を、電子機器における第１の動作の実行をリモートコントロール装置の操作者に確認させるための動作としてもよい。第２の動作を、第１の動作の疑似動作音を発生する動作としてもよい。
【００１１】
電子機器に、第１の動作の実行に伴って音声を発生する発音手段と、第１の信号に応じて第１の動作を実行するときは該発音手段からの音声の発生を禁止する制御手段と設けてもよい。
【００１２】
電子機器をカメラにしてカメラシステムとしてもよい。
第１の信号をカメラに撮影動作を行わせる撮影開始信号とし、第１の動作を撮影動作とし、第２の動作を撮影動作の疑似動作音を発生する動作としてもよい。
【００１３】
リモートコントロール装置に、カメラの状態に関する情報の送信要求信号を送信するために操作される第１のスイッチと、カメラに撮影動作を行わせる撮影開始信号を送信するために操作される第２のスイッチとを設けてもよい。
【００１４】
カメラに、送信要求信号に応じて情報をリモートコントロール装置に対して送信させ、リモートコントロール装置に、受信した情報を表示する表示手段を設けてもよい。
【００１５】
カメラの状態は、撮影可能回数、撮影可能時間、照明ユニットの充電状態および電源状態の少なくとも１つを含む。
【００１６】
本願発明のリモートコントロール装置の第１の構成は、電子機器に対して第１の信号を送信するリモートコントロール装置であって、第１の信号に応じて第１の動作を実行する電子機器から、第１の信号の受信後、第１の動作の終了前に送信された第２の信号を受信する受信手段と、該第２の信号の受信に応じて第２の動作を行う動作手段とを有することを特徴とする。
【００１７】
第１および第２の信号を、無線通信するのが好ましい。第２の動作を、電子機器における第１の動作の実行をリモートコントロール装置の操作者に確認させるための動作とするのが好ましい。第２の動作を、第１の動作の疑似動作音を発生する動作とするのが好ましい。
【００１８】
電子機器をカメラとしてもよい。第１の信号をカメラに撮影動作を行わせる撮影開始信号とし、第１の動作を撮影動作とし、第２の動作を撮影動作の疑似動作音を発生する動作とするのが好ましい。
【００１９】
リモートコントロール装置に、カメラの状態に関する情報の送信要求信号を送信するために操作される第１のスイッチと、カメラに撮影動作を行わせる撮影開始信号を送信するために操作される第２のスイッチとを設けるのが好ましい。
【００２０】
カメラから送信された情報を受信し、該情報を表示する表示手段を設けるのが好ましい。
【００２１】
カメラの状態は、撮影可能回数、撮影可能時間、照明ユニットの充電状態および電源状態の少なくとも１つを含む。
【００２２】
本願発明の電子機器の第１の構成は、リモートコントロール装置からの第１の信号を受信し、該第１の信号に応じて第１の動作を実行する電子機器であって、第１の信号の受信後、第１の動作の終了前に、リモートコントロール装置に第２の動作を行わせるための第２の信号を該リモートコントロール装置に対して送信する送信手段を有することを特徴とする。
【００２３】
第１および第２の信号を、無線通信するのが好ましい。第２の動作を、電子機器における第１の動作の実行をリモートコントロール装置の操作者に確認させるための動作とするのが好ましい。
【００２４】
第２の動作を、第１の動作の疑似動作音を発生する動作とするのが好ましい。
【００２５】
第１の動作の実行に伴って音声を発生する発音手段を設け、第１の信号に応じて第１の動作を実行するときは該発音手段からの音声の発生を禁止する制御手段を設けるのが好ましい。
【００２６】
電子機器を被写体像を記録する記録手段を有するカメラとすることができる。
【００２７】
第１の信号をカメラに撮影動作を行わせる撮影開始信号とし、第１の動作を撮影動作とし、第２の動作を撮影動作の疑似動作音を発生する動作とするのが好ましい。
【００２８】
リモートコントロール装置から送信された、該カメラの状態に関する情報の送信要求信号に応じて情報をリモートコントロール装置に対して送信するのが好ましい。
【００２９】
カメラの状態は、撮影可能回数、撮影可能時間、照明ユニットの充電状態および電源状態の少なくとも１つを含む。
【発明の効果】
【００３０】
本願発明の電子機器システムの第１の構成によれば、第１の信号の受信後、第１の動作の終了前に第２の信号をリモートコントローラ装置に送信するとともに、この第２の信号の受信に応じてリモートコントローラ装置に第２の動作(例えば、音声の発音、振動、画像表示)を行なわせることができる。
【００３１】
これにより、リモートコントローラ装置の操作者に第１の動作終了前に第２の信号に関連した情報を確認させることができる。例えば第１の動作の実行を第１の動作の擬似動作音にて操作者に確認させることができる。
【００３２】
また、電子機器に、第１の動作の実行に伴って音声を発生する発音手段を設けるとともに、第１の信号に応じて第１の動作を実行するときに該発音手段からの音声の発生を禁止することにより、電子機器の省エネルギ化を図ることができる。
【００３３】
第１の信号をカメラに撮影動作を行わせる撮影開始信号とし、第１の動作を撮影動作とし、第２の動作を撮影動作の疑似動作音を発生する動作とすることにより、撮影動作の終了前に撮影動作音を発生させることが可能となるため、撮影者に撮影動作の終了を早期に確認させることができる。
【００３４】
本願発明のリモートコントロール装置の第１の構成によれば、第１の信号の受信後、第１の動作の終了前に送信された第２の信号を受信して、該第２の信号の受信に応じて第２の動作を(例えば、音声の発音、振動、画像表示)を行なわせることができる。
【００３５】
これにより、リモートコントローラ装置の操作者に第１の動作終了前に第２の信号に関連した情報を確認させることができる。例えば第１の動作の実行を第１の動作の擬似動作音にて操作者に確認させることができる。
【発明を実施するための最良の形態】
【００３６】
本発明の実施例は、以下の通りである。
【実施例】
【００３７】
本発明の実施例であるカメラシステム(電子機器システム)を図１に示す。ここで、図１(ａ)はデジタルカメラ(以下、「カメラ」と略す)の回路ブロック図を示し、図１(ｂ)はリモートコントロール装置(以下、「リモコン装置」と略す）の回路ブロック図を示す。
【００３８】
図１(ａ)において、１は公知の撮影レンズである。２は光軸直交面内で開閉駆動される公知の絞り、シャッタから構成された遮光部材である。３はＣＣＤやＣＭＯＳセンサ等により構成される撮像素子であり、撮影レンズ１及び遮光部材２を介して被写体像が撮像面に結像される。
【００３９】
４は画像処理回路であり、システム制御部７からの指示により撮像素子３から出力された被写体像に対応した信号を処理し、処理した信号を後述のメモリ５に送る。５はメモリであり、画像処理回路４で処理した信号をシステム制御部７からの指示により記憶する。６は、遮光部材制御回路であり不図示の測光回路の出力に応じて、遮光部材２を制御ずる。
【００４０】
７はカメラ全体の制御を司るシステム制御部である。８は第１のスピーカであり、音声処理回路９からの信号に応じてシャッタ擬似音を発する。９は第１の音声処理回路であり、システム制御部７からの指示によりシャッタ擬似音信号を第１のスピーカ８に出力する。
【００４１】
１０はストロボであり、システム制御部７の指示により不図示のメインコンデンサの充電制御及び発光の制御を行い、更にメインコンデンサの充電状態をシステム制御部７に伝達する。
【００４２】
１１は第１の受信回路であり、リモコン装置からの信号を受信しシステム制御部７に伝達する。１２は第１の送信回路であり、リモコン装置にシステム制御部７からの信号を送信する。
【００４３】
１３はアンテナであり、第１の送信回路１２の信号を電波にて送信するとともに第１の受信回路１１への電波による受信信号を受信する。１４はシステム制御部７に接続されたスイッチであり、撮影者が不図示のレリーズスイッチを半押しすることによりオンされる。また、１５はシステム制御部７に接続されたスイッチであり、撮影者がレリーズスイッチを全押しすることによりオンされる。
【００４４】
図１(ｂ)において、２１はリモコン装置全体の制御を司るシステム制御部である。２２はシステム制御部２１に接続されたスイッチであり、撮影者が不図示のレリーズスイッチを半押しすることによりオンされる。２３はシステム制御部２１に接続されたスイッチであり、撮影者がレリーズスイッチを全押しすることによりオンされる。
【００４５】
２４は第２の音声処理回路であり、システム制御部２１からの指示によりシャッタ擬似音信号を第２のスピーカ２５に出力する。２５は第２のスピーカであり、第２の音声処理回路２４からの信号に応じてシャッタ擬似音を発する。
【００４６】
２６は情報表示部であり、カメラからの撮影情報に基づき電池状態、撮影可能枚数及びストロボ１０のメインコンデンサの充電状態を表示する。２７は第２の受信回路でありカメラからの信号を受信しシステム制御部２１に伝達する。２８は第２の送信回路であり、リモコン装置のシステム制御部２１からの信号を送信する。２９はアンテナであり、第２の送信回路２８の信号を電波にて送信するとともに第２の受信回路２７への電波による受信信号を受信する。
【００４７】
次に、図２及び図３を用いてカメラシステムの動作を説明する。ここで、図２はカメラの動作制御を示すフローチャートであり、図３はカメラ及びリモコン装置の動作制御を示すフローチャートである。なお、図２で示すフローチャートは主としてカメラのシステム制御部７により実行される。
【００４８】
ステップ１０１：不図示の電源スイッチをオンしてカメラを作動状態にする。
ステップ１０２：撮影モードを設定する。
ステップ１０３：設定されたモードがリモコンモードであるかを判断する。リモコンモードであればステップ１０４に、通常モードであればステップ１１９に進む。
【００４９】
ステップ１０４：リモコン装置から撮影情報要求の受信があるかを判断する。受信があればステップ１０５に進み、無ければステップ１０４に戻る。
ステップ１０５：不図示の測光回路で被写体を測光し測光結果を記憶すると共に、ストロボモードであるか自然光モードであるかを決定する。
ステップ１０６：撮影情報をリモコン装置に送信する。撮影情報は電池状態、撮影可能枚数及びストロボモードか否かの情報である。
【００５０】
ステップ１０７：電池切れでないか、撮影可能枚数があるかどうかを判断し、電池切れである場合や撮影可能枚数がゼロの場合はステップ１１３に進みカメラの動作を終了させる。電池状態が使用可能状態でありかつ撮影枚数がゼロでない時はステップ１０８に進む。
ステップ１０８：ステップ１０５で決定されたモードがストロボモードの時はステップ１１４に進み、自然光モードの時はステップ１０９に進む。
【００５１】
ステップ１０９：撮影者が不図示のレリーズスイッチをオンすることにより第１のレリーズ動作信号(第１の信号)がリモコン装置から出力され、この第１のレリーズ動作信号が受信されたかどうかが判断される。受信したときはステップ１１０に進み、受信していない時はステップ１０９に戻る。
ステップ１１０：撮影シーケンスに先立って第２のレリーズ動作信号(第２の信号)をリモコン装置に送信する。ただし、第２のレリーズ動作信号は、少なくとも撮影シーケンスの終了前に送信すればよく、例えば撮影シーケンスの開始と同時であってもよい。
【００５２】
このように、撮影シーケンスの終了前に第２のレリーズ動作信号をリモコン装置に送信することにより、撮影シーケンスから遅れることなくレリーズ擬似音をリモコン装置から発することができる。これにより、リモコン操作してからあまり遅れなくカメラがレリーズ動作したことを確認することができる。
【００５３】
ステップ１１１：撮影シーケンス(第１の動作)が実行される。撮影シーケンスは自然光モードの時はステップ１０８で測光した測光値に基づき遮光部材制御回路６が遮光部材を制御し、撮像素子３を露光する。撮像素子３の出力信号を画像処理回路４で処理し、処理された画像データをメモリ５に保存する。
【００５４】
メモリ５に保存された画像データは不図示のモニタに表示することが可能であり、また不図示の出力端子を介してコンピュータ等へデータを転送することも可能である。ストロボモードの時はステップ１０５で測光した測光結果に基づきストロボ撮影に適した絞り値及びシャッタスピードで遮光部材２が制御され、シャッタが全開になった状態でストロボ光が発光され撮像素子３を露光する。以降は自然光撮影の場合と同じである。
【００５５】
ステップ１１２：ステップ１０４に戻る。
ステップ１１３：電池の残量が無くなった場合や撮影可能枚数がゼロになった場合は、カメラの動作を終了する。そして、不図示のカメラの表示手段にバッテリが消耗して撮影できなくなったのか、撮影枚数がゼロになり撮影できなくなったのかが表示される。
【００５６】
ステップ１１４：ストロボ１０の発光用メインコンデンサの充電を開始する。
ステップ１１５：メインコンデンサの電圧を検出する。
ステップ１１６：リモコン装置よりメインコンデンサの充電情報要求が受信されているかを判断する。受信されている時はステップ１１７に進み、受信されていない時はステップ１１６に戻る。
【００５７】
ステップ１１７：充電情報をリモコン装置に送信する。充電情報とはメインコンデンサの充電が完了し、ストロボが発光可能となっているか否かの情報である。後述するがストロボのメインコンデンサが充電可能になっていることをリモコン装置に送信すると表示部２６のストロボの充電マーク（雷マーク）が点滅から点灯に切り替わり、その後、リモコン装置のスイッチ２３がオンされることにより、第１のレリーズ動作信号がカメラに送信される。
【００５８】
ステップ１１８：第１のレリーズ動作信号を受信したか否かを判断する。受信していればステップ１１０に進み、受信していないときはステップ１１５に戻る。
ステップ１１９：不図示のレリーズスイッチが半押しされることによりスイッチ１４がオンされたかどうかを判断する。オンされたときはステップ１２０に進み、オフのときはステップ１１９に戻る。
【００５９】
ステップ１２０：電池状態が使用可能状態であり、撮影可能枚数があるかどうかを判断し、電池状態が使用可能状態に無い場合あるいは撮影可能枚数がゼロの場合はステップ１２７に進みカメラの動作を終了させる。電池状態が使用可能状態でありかつ撮影枚数がゼロでない時はステップ１２１に進む。
【００６０】
ステップ１２１：不図示の測光回路で被写体を測光し測光結果を記憶するとともに、ストロボモードであるか自然光モードであるかを決定する。
ステップ１２２：ステップ１２１での測光結果に基づきストロボモードであるかを判断する。ストロボモードの時はステップ１２８に進み、自然光モードの時はステップ１２３に進む。
【００６１】
ステップ１２３：不図示のレリーズスイッチが全押しされることによりスイッチ１５がオンされたかどうかを判定する。オンされたときはステップ１２４に進み、オフのときはステップ１２３に戻る。
ステップ１２４：第１のスピーカ８より擬似シャッタ音を出力する。
【００６２】
ステップ１２５：撮影シーケンスを実行する。実行内容はステップ１１１と同じなのでここでは説明は省略する。なお、擬似シャッタ音の出力と撮影シーケンスの実行とを同時行なうように構成してもよい。
ステップ１２７：カメラの動作を終了する。不図示のカメラの画像表示部にバッテリが消耗して撮影できなくなったのか、撮影枚数がゼロになり撮影できなくなったのか表示される。
【００６３】
ステップ１２８：ストロボ１０の発光用メインコンデンサの充電を開始する。
ステップ１２９：ストロボ１０のメインコンデンサの充電が完了したかを判断する。完了していればステップ１３０に進み、完了していなければステップ１２９に戻る。
ステップ１３０：不図示のレリーズスイッチを全押しすることによりオンされるスイッチ１５の状態を判別し、このスイッチ１５がオンされればステップ１２４に進み、オフのときはステップ１３０に戻る。以上がカメラのフローチャートの説明である。
【００６４】
次に、図３を用いてリモコン装置の動作について説明する。ここで、図３はリモコン装置の動作制御を示すフローチャートである。
【００６５】
ステップ２０１：不図示の電源スイッチをオンして、リモコン装置を起動する。
ステップ２０２：不図示のレリーズスイッチを半押しすることによりオンされるスイッチ２２の状態を判断する。そして、このスイッチ２２がオンされるとステップ２０３に進み、オフであればステップ２０１に戻る。
【００６６】
ステップ２０３：撮影情報を要求する信号をカメラに送信する。
ステップ２０４：撮影情報をカメラより受信する。ここでの撮影情報は電池状態、撮影可能枚数及び撮影モード（自然光モードあるいはストロボモード）である。
【００６７】
ステップ２０５：電池に使用可能な程度に残量が残っているか、撮影可能枚数があるかどうかを判断し、残量が残っていない場合あるいは撮影可能枚数がゼロの場合はステップ２１３に進み前記電源状態及び撮影可能枚数を表示しリモコン装置の動作を終了させる。電池状態が使用可能状態でありかつ撮影枚数がゼロでない時はステップ２０６に進む。
ステップ２０６：ストロボモードであるかを判断する。ストロボモードの時はステップ２１５に進み、自然光モードの時はステップ２０７に進む。
【００６８】
ステップ２０７：電源電池の状態と撮影可能枚数とが情報表示部２６に表示する。情報表示部２６の電池の状態表示は図１(ｂ)に示す様に電池のシンボルマークにより行う。また、撮影可能枚数は図１(ｂ)に示す様に数値表示より行う。更にこの時ストロボモードではないので図１(ｂ)に示す雷マークは消灯している。
【００６９】
ステップ２０８：全押しでオンとなるスイッチ２３の状態を判断し、オンであればステップ２０９に進み、オフであればステップ２０８に戻る。
ステップ２０９：第２のレリーズ動作信号をリモコン装置に送信
ステップ２１０：第２のレリーズ動作信号を受信
ステップ２１１：第２のレリーズ動作信号に応答して、第２の音声処理回路２４を介してシステム制御部２１から音声信号が第２のスピーカ２５に送られ第２スピーカ２５は擬似レリーズ音を発生する(第２の動作)。本実施例では、擬似レリーズ音を発生させることにより、撮影者にカメラがレリーズされたことを確認できるように構成したが、例えば、情報表示部２６に表示したり、振動によって確認できるようにしてもよい。
ステップ２１２：ステップ２０２に戻る。
ステップ２１３：電池が使用可能状態にない場合には前記表示手段の電池のシンボルマークを電池空状態表示とし、また、撮影枚数がゼロのときは情報表示部２６の撮影枚数を０と表示する。
ステップ２１４：リモコン装置の動作を終了する。
【００７０】
ステップ２１５：情報表示部２６に電状態表示、撮影枚数表示及びストロボモード表示を行う。ストロボ状態表示は前述したように雷マークにより表示し、前記ストロボ１１のメインコンデンサが充電完了していない時は前記雷マークを点滅し、充電完了している時は前記雷マークを点灯する。ここでは前記メインコンデンサの充電が行われていないので前記雷マークは点滅する。
【００７１】
ステップ２１６：前記メインコンデンサの充電情報を要求する信号をカメラに送信する。
ステップ２１７：前記メインコンデンサの充電情報をカメラより受信する。
ステップ２１８：前記充電情報より前記メインコンデンサの充電が完了しているかどうかを判断する。充電完了していればステップ２１９に進み。充電完了していなければステップ２１６に戻る。
ステップ２１９：前記表示手段の雷マークを点滅から点灯にする。
以上がカメラ及びリモコン装置のフローの説明である。
【００７２】
以上のフローチャートからわかるように、カメラがリモコンモードになっている場合は、第１のスピーカからレリーズ擬似音が発せられないようにしている(システム制御部７がレリーズ擬似音の発音を禁止している)。これにより、カメラの省エネ化を図ることができる。
【００７３】
次に、カメラとリモコン装置との関係を図４のタイミングチャート用いて説明する。不図示のレリーズスイッチを全押ししてスイッチ２３がオンされることにより、リモコン装置から第１のレリーズ動作信号が出力される。そして、この第１のレリーズ動作信号を受信したカメラから第２のレリーズ動作信号が出力される。この状態では、まだ、撮影シーケンスの実行及びリモコン装置からのレリーズ擬似音の発生は行なわれていない。すなわち、撮影シーケンスが実行される前に第２のレリーズ動作信号をリモコン装置に送信するように構成している。
【００７４】
また、タイミングチャートに示すように、撮影シーケンスの実行中に第２の音声処理回路を駆動して、第２のスピーカ２５からレリーズ擬似音が発音されるように制御している。これにより、カメラがレリーズされたことを従来例よりも早く(従来例は撮影が終了してから音声で報知)撮影者に確認させることができるため、撮影者に違和感を与えることもない。
【００７５】
上記実施例では、デジタルカメラとリモコン装置とのシステムとして説明したが、フイルムを使用したカメラやビデオカメラにも適用できる。ビデオカメラに適用した場合、例えば、録画の開始を指示する信号(第１の信号)の受信後、録画動作の開始(第１の動作)前に録画が開始されたことを示す録画開始信号(第２の信号)をリモコン装置に送信し、その後情報表示部２６に録画開始を表示させる(第２の動作)ように構成することができる。
【００７６】
以上説明したように、リモコン装置からのレリーズ信号をカメラが受信しレリーズシーケンスを開始すると共にレリーズ動作信号をリモコン装置に送り、リモコン装置はレリーズ動作信号に応答して音声を発するので、カメラのレリーズシーケンスが開始されたのが前記音声にて確認できる。
【００７７】
カメラとリモコン装置の送受信を電波とした場合、光信号と異なりリモコン装置をカメラの方向に向ける必要がなくなる。
【００７８】
リモコン装置に設けられた半押しでオンとなるスイッチ（図１(ｂ)の２２）のオンによりカメラの撮影情報を要求しカメラの撮影情報を受信するので、全押しでオンとなるスイッチ（図１(ｂ)の２３）でレリーズ信号を送る前に撮影情報を確認することができる。
撮影情報を表示する情報表示部を設けたので、視覚的に撮影が可能な状態かどうかを撮影前に知ることができる。当然、カメラがリモコン装置により制御可能な範囲内にあるかどうかについても撮影前に知ることができる。
【図面の簡単な説明】
【００７９】
【図１】(ａ)本発明の実施形態におけるカメラの回路図である。        (ｂ)本発明の実施形態にリモコン装置の回路図である。
【図２】上記カメラのフローチャートである。
【図３】上記リモコン装置のフローチャートである。
【図４】カメラとリモコン装置との関係を説明したタイミングチャートである。
【符号の説明】
【００８０】
７    カメラのシステム制御部
８    第１のスピーカ
１１  第１の受信回路
１２  第１の送信回路
１４  スイッチ
１５  スイッチ
２１  リモコン装置のシステム制御部
２２  スイッチ
２３  スイッチ
２５  第２のスピーカ
２６  表示手段
２７  第２の受信手段
２８  第２の送信手段
【図１】
2005173328.tif 000003
【図２】
2005173328.tif 000004
【図３】
2005173328.tif 000005
【図４】
2005173328.tif 000006